(57)【要約】      （修正有）【課題】異なるタイプのパケットを製造できる煙草パケットパッカー機を提供する。【解決手段】各タイプのパケットが煙草群を含み、所要の製造タイプやパケットタイプの変更を伴い、複数の運動シャフト４と、それに連結される複数のタイプのコンベヤ６等用の支持壁３を備える。コンベヤのタイプは、パッキングするパケットのタイプや包装材料のタイプに応じて予め指令された相互取決めに従って選択され、支持壁３上に位置し、各コンベヤは、煙草群を囲む１タイプの包装材料と接触して位置しかつ１つ以上の隣接コンベヤの機器ユニット６ａ等と連動する各機器ユニットを備える。機器ユニットが、群又はパケットを搬送するポケット、包装材料を搬送するヘッド、又は包装材料を折畳む折畳装置を備え、パケットと包装材料のタイプが変わる場合、コンベヤを異なるタイプのコンベヤに換えて異なる位置へ移動させ、かつ支持壁上の異なる運動シャフト上に取付けることができる。【選択図】図６
0003178290.tif 000002
【実用新案登録請求の範囲】
【請求項１】
各タイプのパケットが包装材料内に包装された煙草群（Ｇ）を含み、所要の製造タイプの変更を伴い、パケットのタイプが、硬質タイプのパケット、半硬質タイプのパケット又は軟質タイプのパケットの間で変化し、かつパケットタイプの変更を伴い、包装材料は利用可能な複数の材料タイプ間で変化する、煙草パケットパッカー機であって、
煙草パケットパッカー機（１）は、
複数の運動シャフト（４）と、
各前記複数の運動シャフト（４）に各々が連結され得る複数のタイプのコンベヤ（５、６、７、１４、１５）のための支持壁（３）とを備え、
前記コンベヤ（５、６、７、１４、１５）のタイプは、パッキングすべきパケットのタイプ及び使用すべき包装材料のタイプに応じて予め指令された相互取決めに従って選択され、
前記コンベヤ（５、６、７、１４、１５）は前記支持壁（３）上に位置づけされており、
各々のコンベヤ（５、６、７）には、煙草群（Ｇ）を部分的又は完全に取り囲む１タイプの包装材料と接触した状態に位置づけされるように設計されかつ少なくとも１つの隣接するコンベヤ（５、６、７、１４、１５）の機器ユニット（５ａ、６ａ、７ａ）と連動して動作するように設計されたそれぞれの機器ユニット（５ａ、６ａ、７ａ、１４ａ、１５ａ）が装備されており、
前記機器ユニット（５ａ、６ａ、７ａ、１４ａ、１５ａ）が、群又はパケットを搬送するためのポケット、包装材料を搬送するためのヘッド、及び、包装材料を折畳むための折畳み装置の中の少なくとも１つを備えた、煙草パケットパッカー機において、
パッキングすべきパケットのタイプ及び使用すべき包装材料のタイプが変わる場合、少なくとも１つのコンベヤ（６、７；１４、１５）を異なるタイプのコンベヤ（６、７；１４、１５）と置換し、もう一方のコンベヤ（６、７；１４、１５）との関係における異なる位置まで移動させることができ、かつ支持壁（３）上に具備された異なる運動シャフト（４）上に取付けることができることを特徴とする煙草パケットパッカー機。
【請求項２】
前記運動シャフト（４）が、支持壁（３）上にコンベヤ（５、６、７）を組立てるために設計され、前記運動シャフト（４）上のコンベヤ（５、６、７、１４、１５）の考えられる組立てに関する一式の組合せを生み出すために互いに同一のものであるそれぞれの連結用部分（４ａ）を含んでいることを特徴とする請求項１に記載の煙草パケットパッカー機。
【請求項３】
各コンベヤ（５、６、７、１４、１５）が、運動シャフトの１本を収容するように設計されたキャビティを含んでおり、かつ内側には、運動シャフト（４）の動作に従って機器ユニット（５ａ、６ａ、７ａ、１４ａ、１５ａ）を運動させるためコンベヤ（５、６、７、１４、１５）の機器ユニット（５ａ、６ａ、７ａ、１４ａ、１５ａ）に連結された伝動手段を含んでいることを特徴とする請求項１又は２に記載の煙草パケットパッカー機。
【請求項４】
コンベヤ（５、６、７、１４、１５）が、煙草群（Ｇ）の周りで、煙草と直接接触した状態にある包装材料の内部シートを完全に折畳むための第１のコンベヤ（５）と、
パッカー機（１）内で煙草群（Ｇ）の補給方向（Ａ）に次々に位置づけされるように設計され、かつ煙草群（Ｇ）の周りで、硬質タイプのパケットを得るために意図されたブランク（Ｓ）を完全に折畳むように設計されている、第２のコンベヤ（６）及び第３のコンベヤ（７）と、
煙草群（Ｇ）の周りで、上ブタの無い軟質又は半硬質タイプのパケットを得るために意図された包装材料を折畳むように設計されている、第４のコンベヤ（１４）と、
完成したパケット又は半完成パケットを、上流側に位置づけされたコンベヤ（６、１４）と下流側に位置づけされたコンベヤ（１４）の間で移送するように設計されている、第５のコンベヤ（１５）とを含み、
第２及び第３のコンベヤ（６、７）が、製造されるパケットのタイプを硬質パケットと半硬質又は軟質パケットの間で相互に変更するため第４及び第５のコンベヤ（１４、１５）と互換性があることを特徴とする請求項１〜３のいずれか一項に記載の煙草パケットパッカー機。
【請求項５】
硬質材料製のブランク（Ｓ）又は半硬質材料製ブランクを放出するための装置（１２）をさらに備え、ブランク（Ｓ）を放出するための装置（１２）が、ブランク（Ｓ）用マガジン（１１）と相互連結されかつ第２又は第４のコンベヤ（６、１４）上でブランク（Ｓ）を放出するため第２又は第４のコンベヤ（６、１４）と結びつけることができ、放出装置（１２）は、製造されるパケットのタイプの変更を硬質パケットと半硬質又は軟質パケットの間で相互に可能にするために支持壁（３）に対して取外しできる形で適用可能であることを特徴とする請求項４に記載の煙草パケットパッカー機。
【請求項６】
軟質包装材料片を放出するための装置（１６）を含み、材料片放出用の装置（１６）が、軟質包装材料の連続ウェブを補給するためのリールと相互連結され、かつ第４のコンベヤ（１４）上に軟質包装材料片を放出するために第４のコンベヤ（１４）を結びつけることができ、材料片放出用装置（１６）は、製造されるパケットのタイプの変更を硬質パケットと半硬質又は軟質パケットの間で相互に可能にするため、支持壁（３）に対し取外しできる形で適用されていることを特徴とする請求項４又は５に記載の煙草パケットパッカー機。
【請求項７】
第１のコンベヤ（５）と連動して動作する硬質材料製のカラーを放出するための装置も含んでおり、カラーを放出するための装置（９）が、製造されるパケットのタイプの変更を硬質パケットと半硬質又は軟質パケットの間で相互に可能にするための支持壁（３）に取外しできる形で適用されていることを特徴とする請求項４又は５に記載の煙草パケットパッカー機。
【請求項８】
各コンベヤ（５、６、７、１４、１５）には、周囲に複数の機器ユニット（５ａ、６ａ、７ａ、１４ａ、１５ａ）が装備された回転式サポートが含まれていることを特徴とする請求項１〜７のいずれか一項に記載の煙草パケットパッカー機。
【考案の詳細な説明】
【技術分野】
【０００１】
本考案は、煙草パケットのパッカー機に関する。
【０００２】
本考案は、特に、連続的に動作する煙草パケットパッカー機において適用すると極めて有利である。煙草パッカー機は、各々が既定数の煙草からなる群（通常各群は２０本の煙草で構成されている）を収納するパケットを製造するように設計された機械である。
【背景技術】
【０００３】
市場は現在、３つの主要なタイプの煙草パケットを供給している。
【０００４】
第１のタイプは、詳細にはヒンジ式の蓋を有する硬質パケットを構成し、煙草群は最初に、煙草を完全にとり囲む内部包装材料（通常は銀紙）内に包装される。
【０００５】
このようにして得られたパケットは次に、多くの場合下部容器部分とこの下部部分に連接された上ブタを含む硬質パケットを得るように折畳まれる適切に押し抜きされた平坦なブランクから作られた通常は紙製の硬質材料で被覆される。
【０００６】
第２のタイプは、軟質パケットを構成し、最初に内部包装材料（銀紙）内に包装された煙草群は次に同様に、通常ラベルと呼ばれ広告、銘柄及び他の図形を担持する、普通は軽量枚葉紙である軟質包装材料内に包装される。
【０００７】
外部カバーを形成するように設計された枚葉紙は、適切に整形されて外部包装紙を生成し、これは銀紙カバーの最上部を露出させた状態に（従って上部の閉鎖用カバーは無い状態に）放置する。第３のタイプすなわち半硬質タイプのパケットも同様に市場に普及している。
【０００８】
このタイプのパケットは、最上部が見えて実質的に軟質パケットと類似しているが、外部カバーは、例えば紙又はプラスチック材料などの半硬質材料製のブランクから出発して製造されており、その外側に広告、銘柄及び他の図形を担持している。
【０００９】
前記半硬質材料は、硬質パケットの外部包装紙を製造するために用いられる材料に比べてより変形可能であるが、その一方で「軟質」材料より硬質である。
【００１０】
現在市販されているパッカー機は、導入側では、通常補給方向に対し横方向になるように配置されている煙草流を補給するための装置とインターフェイスするように設計されており、排出側では、完全に形成済みのパケットを放出し、これらのパケットは必要な場合外部透明フィルムでのさらなる包装段階を受けることになる。
【００１１】
このようなパッカー機は、一連の煙草群（通常は２０本の群）を製造し、銀紙製の内部カバーの適用と折畳みのための第１のステーション、（硬質、半硬質又は軟質のいずれであれ）外部カバーを適用し折畳むための第２のステーション、そして必要な場合には物品税証印の貼付のためのステーションを通って前記群を輸送する。
【００１２】
カバー材料の適用と折畳みのためのステーションは、製造すべきパケットのタイプに応じて変動する。従って、従来のパッカー機の構造は、特定のタイプのパケットを製造するために予め設定されており、そのため、このようなパッカー機は、当初具備されたものと異なるタイプのパケットを製造するために使用できない。
【００１３】
その結果、異なるタイプのパケットを製造することが必要となった場合には、所望の異なるタイプのパケットを製造するような形で構築された２台以上の機械を購入しなければならなくなる。
【考案の概要】
【考案が解決しようとする課題】
【００１４】
本考案の目的は、異なるタイプのパケットを製造するために適用させることのできる煙草パケットパッカー機を提供することである。
【課題を解決するための手段】
【００１５】
指摘された技術的ニーズ及び特定された目的は、添付の請求項の１つ以上の中で提示されている特徴を含む煙草パケットパッカー機によって達成される。
【００１６】
本考案について以下で、本考案の好ましい実施形態を示す添付図面を参照しながら説明する。
【図面の簡単な説明】
【００１７】
【図１】第１の動作構成における本考案に係る煙草パケットパッカー機の側面図である。
【図２】図１の機械のパッキングステーションの側面図である。
【図３】第２の動作構成における、第２のパッキングステーションの側面図である。
【図４】第３の動作構成における、第２のパッキングステーションの側面図である。
【図５】組立てられた構成における図２のパッキングステーションのコンベヤを示す。
【図６】組立てられていない構成における図２のパッキングステーションのコンベヤを示す。
【考案を実施するための形態】
【００１８】
本考案は、異なるタイプのパケット、特に軟質、硬質及び半硬質タイプのパケットを製造できる煙草パケットパッカー機に関する。
【００１９】
実際には、パッカー機の構成は、必要な場合、所望のタイプのパケットを製造するために適した形に変更され得る。
【００２０】
本明細書では、単なる一例として、当初硬質タイプのパケットの製造用として構成され、その後、軟質又は半硬質タイプのパケットの製造に適した構成をとるようにセットされるパッカー機について言及される。
【００２１】
図１を参照すると、参照番号１は、本考案に従って製造された煙草パケットパッカー機を全体として表わしている。
【００２２】
煙草パケットパッカー機１は、（右から左へ）包装材料を補給するためのステーション１００、煙草を補給するためのステーション２００そしてパッキングステーション２を含んでいる。
【００２３】
実質的に公知のタイプの包装材料を補給するためのステーション１００は、包装材料の１つ以上のマガジンを含み、例示された実施形態において、これには、内部包装材料のリール１１０、クーポンマガジン１２０及び、連続する切断及び折畳み動作の後に硬質パケットにおいて使用されるタイプのカラーを形成するように設計された硬質紙材料のリール１３０が含まれる。
【００２４】
好ましくは、リール１１０は銀紙リールである。煙草を補給するためのステーション２００を参照すると、これはホッパー２１０（公知のタイプの）を含み、このホッパーの最上部に、水平方向に位置づけされた大量の煙草を収容し、ホッパー２１０の下でバケットコンベヤ２２０上に秩序立った群の形で煙草を放出するように設計されている。
【００２５】
煙草はホッパー２１０からバケットコンベヤ２２０まで、本明細書中では詳細していない公知の方法に従って放出される。
【００２６】
以下に記すのは、本考案が関わるパッカー機１の一部分であるパッキングステーション２の詳細な説明である。
【００２７】
図１に示されているパッキングステーション２は、以下のステップ、
内部包装材料（銀紙）内に各煙草群を包装するステップ、
煙草群に適用された上述の包装紙の上にカラーを適用するステップ、
硬質材料製の平坦なブランクを折畳むことにより硬質外部包装紙を生成するステップ、
例えばクーポン又は物品税証印などを貼付するステップなどの任意のさらなるステップを実施するようにセットされている。
【００２８】
前記ステップを実施するため、パッキングステーション２は、好ましくは水平の複数の運動シャフト４（図６）及び各々それぞれの運動シャフト４に連結され得る複数のタイプのコンベヤ５、６、７を伴う、好ましくは垂直な支持壁３を含む。
【００２９】
運動シャフト４は、好ましくは全て互いに運動学的に連結されて、コンベヤ５、６、７が同期的に動作できるようにしている。これを保証するために、パッカー機１には、運動シャフト４を互いに連結しかつこれらの運動シャフトを単一の共有原動機（図示せず）に連結しているコネクティングロッドとクランクの網状システムが備わっていてよい。
【００３０】
前記システムは、イタリア国特許出願第Ｂ０９７Ａ０００３７１号に記載されている。
【００３１】
さらに、添付図面中に示されている実施形態において、各コンベヤ５、６、７は、複数の機器ユニット５ａ、６ａ、７ａが周囲に装備されていて、それぞれの運動シャフト４と同軸回転できる回転式サポートを含む。各コンベヤ５、６、７の機器ユニット５ａ、６ａ、７ａは、煙草群「Ｇ」を部分的又は完全にとり囲む１つのタイプの包装材料と接触するように設計されており、同様にこれらは、少なくとも１つの隣接するコンベヤ５、６、７の機器ユニット５ａ、６ａ、７ａと連動して動作するようにも設計されている。
【００３２】
詳細には、機器ユニット５ａ、６ａ、７ａは、煙草群「Ｇ」又はパケットを搬送するためのポケット、及び／又は包装材料を搬送するためのヘッド及び／又は包装材料を折畳むための折畳み装置を含む。
【００３３】
さらに詳細には、第１のコンベヤ５は、バケットコンベヤ２２０のすぐ下流側に位置づけされて、補給方向「Ａ」で補給される一連の煙草群「Ｇ」をバケットコンベヤから受けとる。
【００３４】
第１のコンベヤ５とバケットコンベヤ２２０の間の相互連結ゾーンには、上述のリール１１０から到来する内部包装材料（銀紙）を放出するための装置８も存在する。
【００３５】
従って、第１のコンベヤ５の周辺機器ユニット５ａは、銀紙片と一連の煙草群「Ｇ」とを受取り、公知のタイプの折畳み装置（例えば支持壁３に適用されるもの）を用いて、煙草群「Ｇ」を銀紙片内に包装する。
【００３６】
第１のコンベヤ５は同様に、カラーを放出するための装置９に相互連結されており、この装置は、硬質紙材料のリール１３０に連結され、紙材料を切断及び／又は押し抜きして一連のカラーを生成し、それらを第１のコンベヤ５に放出するように設計されている。カラーは次に、煙草群「Ｇ」の周囲を包装するそれぞれの銀紙片と結びつけられる。
【００３７】
カラーを放出するための装置９とそれぞれのリール１３０の間に間置された状態で、紙材料の補給の不規則性をことごとく吸収し、第１のコンベヤ５に対するカラーの放出を一様にするように設計された、例えば空気圧式の補償装置１０が存在する。
【００３８】
第１のコンベヤ５のすぐ下流側にあるのは、第２のコンベヤ６であり、これが、先に銀紙内に包装された煙草群「Ｇ」を受取ると同時に、マガジン１１からブランク「Ｓ」をピックアップしそれを第１のコンベヤ５に対し放出するためブランク「Ｓ」のマガジン１１と第２のコンベヤ６の間に間置されたブランク「Ｓ」放出に適した装置１２によってマガジン１１からピックアップされる硬質材料製のブランク「Ｓ」をも受取る。
【００３９】
マガジン１１は、垂直に置かれるように配置され水平方向に積重ねられたブランク「Ｓ」を収納するように設計されている。その上、ブランク「Ｓ」を放出するための装置１２は、水平軸を中心として回転し周囲にピックアップ機器ユニットが装備されたサポートを含んでいる。
【００４０】
公知のタイプの適切な折畳み手段（例えば湾曲したそらせ板及び／又は可動式グリッパを含む）を用いて、煙草群「Ｇ」が第２のコンベヤ６上にある間に、ブランク「Ｓ」の少なくとも一部分が折畳まれる。
【００４１】
第２のコンベヤ６の下流側には、第３のコンベヤ７が存在し、これが第２のコンベヤ６から半完成パケットを受取り、ブランク「Ｓ」の残りの部分の折畳みを補完し、硬質パケット「Ｐ」の製造を完了させる。
【００４２】
第２のコンベヤ６の場合がそうであったように、第３のコンベヤ７も同様に、パケット「Ｐ」の既定部分を折畳むように設計された公知のタイプの折畳み手段（例えば湾曲したそらせ板及び／又は可動式グリッパを含む）と結びつけられる。
【００４３】
第３のコンベヤ７の下流側に位置設定された状態で、パッキングステーションから完成したパケットを受取り、それらを保管用マガジン又は外部透明フィルムの適用のためのさらなるステーションへと送るように設計された移送装置１３が存在する。
【００４４】
コンベヤ５、６、７の少なくとも１つを、異なるタイプのコンベヤと置換することができ、かつ／又は、他のコンベヤ５、６、７との関係において異なる位置まで移動させ、支持壁上に具備された異なる運動シャフト４上に組立てることができる。これにより、パッキングすべきパケットのタイプ及び使用すべき包装材料のタイプの変更に伴って、コンベヤ５、６、７の再分配及び／又は置換が可能となる。
【００４５】
これを行なうために、運動シャフト４は、コンベヤ６、７の互換性を可能にするような形で製造されている。
【００４６】
示されている実施形態では、少なくとも第２及び第３のコンベヤ６、７が互換性を有し、第１のコンベヤ５は、製造すべきパケットのタイプが異なっていても同じものであり続ける。ただし、上述のコンベヤ５、６、７全てに互換性を拡大することも可能であると思われる。
【００４７】
上述の互換性は、運動シャフト４上のコンベヤ６、７について考えられる組立てに関する一式の組合せを促すように、コンベヤ６、７を組立てるように設計された互いに同一のものであるそれぞれの連結部分４ａを運動シャフト４が確実に含んでいるようにすることによって、達成されてよい。
【００４８】
各コンベヤ５、６、７は、運動シャフト４の１つを適宜収容するように設計されたキャビティ（添付図面中には見えない）を１つ含んでいる。シャフト・キャビティのカップリングは、トルクの伝達を促進するようにキー連結を用いて行なわれてよい。
【００４９】
各コンベヤ５、６、７はその内部に、運動シャフト４の動作に従って機器ユニット５ａ、６ａ、７ａを移動させるためコンベヤ５、６、７の機器ユニット５ａ、６ａ、７ａに連結された伝動手段を含んでいる。
【００５０】
前記運動手段は、例えば、公知の要領で動作し、詳述されていないカム及びカムフォロワシステムを含んでいてよい。コンベヤ５、６、７内に運動手段を内含させることにより、関連する運動シャフト４から外に向かって滑動させることで取外し可能であり、そのため異なる運動シャフト４上に組立てが可能で、コンベヤ５、６、７の置換又は再分配作業が著しく容易になる。
【００５１】
製造されるパケットのタイプを変更するため、パッカー機１には同様に、製造されるパケットのタイプを硬質パケットと半硬質又は軟質パケットの間で相互に変更するための第３及び第４のコンベヤ６、７と互換性のある第４及び第５のコンベヤ１４、１５も含まれている。
【００５２】
より詳細には、第４のコンベヤ１４は、先に銀紙内に包装された煙草群「Ｇ」の周りで、上ブタの無い軟質又は半硬質タイプのパケットを製造するために設計された包装材料を折畳むようにセットされている。
【００５３】
対照的に、第５のコンベヤ１５は、上流側に位置づけられたコンベヤと下流側に位置づけされたコンベヤの間で半完成パケット（すなわち例えば銀紙内に包装されただけの煙草群「Ｇ」）を移送するようにセットされている。
【００５４】
各コンベヤ１４、１５は、それぞれの運動シャフト４と同軸回転でき、周囲に複数の機器ユニット１４ａ、１５ａが装備されている回転式サポートを含む。各コンベヤ１４、１５の機器ユニット１４ａ、１５ａは、煙草群「Ｇ」を部分的又は完全にとり囲む１つのタイプの包装材料と接触するように設計されており、かつ少なくとも１つの隣接するコンベヤ５、６、７、１４、１５の機器ユニット５ａ、６ａ、７ａ、１４ａ、１５ａと連動して動作するようにも設計されている。
【００５５】
図３に示されている実施形態は、半硬質タイプの煙草パケットを製造するためにパッカー機１が採用しなければならない構成を説明している。
【００５６】
この構成では、硬質材料製のブランク「Ｓ」の一部分を折畳むようにセットされた第２のコンベヤ６は、半硬質材料製のブランク「Ｓ」を完全に折畳むためにセットされた第４のコンベヤ１４と置換され、一方、硬質材料製のブランク「Ｓ」の折畳みを完了するようにセットされた第３のコンベヤ７は、第４のコンベヤ１４から到来した半硬質パケットを移送装置１３に向かって移送するようにセットされた第５のコンベヤ１５で置換されている。
【００５７】
半硬質材料製のブランク「Ｓ」の折畳みは、第４のコンベヤ１４を使用するだけで行なわれる。
【００５８】
その上、半硬質タイプのパケットはカラーを必要としないことから、カラーを放出するための上述の装置９は取り外すことができる。これを可能にするため、カラー放出用装置９は、支持壁３に対し取外し可能な形で適用され、こうして、所要の製造タイプの変更と共にそれを取付けたり取外したりできるようになっている。詳細には、それを硬質材料製のパケットの製造向けの構成で支持壁３に適用し、他の異なるタイプの製造の間は取外すことが可能である。
【００５９】
その上、図２の実施形態において、補償装置１０は取外されている。
【００６０】
半硬質材料製のパケットの製造の間（図３）、半硬質材料製のブランク「Ｓ」を、マガジン１１からピックアップする上述のブランクの放出用装置１２を用いて補給することができる。代替的には、軟質タイプの煙草パケットを製造する場合に通常そうであるように、半硬質材料製のブランク「Ｓ」をリールから補給できると考えられる。
【００６１】
図４に示されている実施形態は、軟質タイプの煙草パケットを製造するためにパッカー機１が採用しなければならない構成を説明している。
【００６２】
この構成では、硬質材料製のブランク「Ｓ」の一部を折畳むようにセットされた図２の第２のコンベヤ６は第５のコンベヤ１５で置換されており、この第５のコンベヤは、第５のコンベヤ１５の下流側に位置設定され対照的に軟質材料片を完全に折畳むようにセットされている第４のコンベヤ１４に向かって半完成パケット（単に銀紙内に包装されただけの煙草群「Ｇ」）を移送するようにセットされている。
【００６３】
換言すると、図３と図４の構成は、少なくとも第４及び第５のコンベヤ１４、１５の位置が逆転しているという点でのみ異なっている。
【００６４】
その上、図４の実施形態においては、軟質包装材料片を放出するための装置１６が使用されており、この装置は、軟質包装材料の連続ウェブを補給するためにそれぞれのリール（図示せず）と相互連結され、かつ第４のコンベヤ上に軟質包装材料片を放出するため第４のコンベヤと結びつけることができるものである。
【００６５】
有利にも、材料片を放出するための装置１６は、製造されるパケットのタイプの変更を硬質パケットと半硬質又は軟質パケットの間で相互に可能にするため支持壁３に対し取外し可能な形で適用できる。
【００６６】
その上、この構成は、補給速度を一様にするため、ひいては第４のコンベヤ１４に材料片を放出する速度を一様にするために、材料片放出用装置に補給された連続ウェブに作用するさらなる補償装置１０’（前出のものとは異なる）の使用を必要とする。
【００６７】
その上、図４の図では、硬質又は半硬質材料製のブランク「Ｓ」を放出するための装置１２は、軟質材料製のパケットの製造と両立しなかったために、取外されている。
【００６８】
図５及び６は、必要な場合に上述の装置の１つ以上（ブランク又は包装材料片又はカラーを放出するための装置及び／又はコンベヤと結びつけられた折畳み装置など）の組立てを可能にするため限定の位置に設けられた複数の開口部を有する支持壁３の詳細を示す。本考案は、先行技術の上述の欠点を克服することによって予め設定された目的を達成する。
【００６９】
複数のコンベヤ（及びブランク、カラー及び材料片を放出するための連結された装置）を取外すことが可能であることによって、実際、本考案に係るパッカー機は、迅速かつ簡単に構成の変更を行い、製造タイプを変更することができる。
【００７０】
この構成変更には、１つ以上のコンベヤを異なるタイプの他のコンベヤと置換することが関与するか、又は２つのコンベヤの位置の逆転が必要とされるかもしれない。
【００７１】
以上で説明した構成変更は、機械の他の部品を未変更のままに維持するため、構成変更に必要とされる部品の数は非常に少なく、基本的に代替コンベヤとそれらに付随する補給装置に限定される。
【符号の説明】
【００７２】
１    煙草パケットパッカー機
２    パッキングステーション
３    支持壁
４    運動シャフト
４ａ    連結部分
５    第１のコンベヤ
５ａ    第１のコンベヤ５の機器ユニット
６    第２のコンベヤ
６ａ    第２のコンベヤ６の機器ユニット
７    第３のコンベヤ
７ａ    第３のコンベヤ７の機器ユニット
８    内部包装材料（銀紙）を放出するための装置
９    カラーを放出するための装置
１０    補償装置
１０’    さらなる補償装置
１１    マガジン
１２    ブランクＳ放出に適した装置
１３    移送装置
１４    第４のコンベヤ
１４ａ    第４のコンベヤ１４の機器ユニット
１５    第５のコンベヤ
１５ａ    第５のコンベヤ１５の機器ユニット
１６    軟質包装材料片を放出するための装置
１００    包装材料を補給するためのステーション
１１０    リール
１２０    クーポンマガジン
１３０    リール
２００    煙草を補給するためのステーション
２１０    ホッパー
２２０    バケットコンベヤ
Ａ    補給方向
Ｇ    煙草群
Ｐ    硬質パケット
Ｓ    ブランク
【図１】
0003178290.tif 000003
【図２】
0003178290.tif 000004
【図３】
0003178290.tif 000005
【図４】
0003178290.tif 000006
【図５】
0003178290.tif 000007
【図６】
0003178290.tif 000008